(57)【要約】【課題】  長時間把持しても手指を痛めることが無く、繰り返し使用可能で環境にも優しく、且つ使用時のコストを削減しうるトレーを提供する。【解決手段】  トレー本体部を所定の剛性を有する合成樹脂からなる芯材と、上記芯材の外側面部を被覆する、弾性を有する合成樹脂からなる被覆材とから形成した構成とする。【選択図】  図１
0003168441.tif 000002
【実用新案登録請求の範囲】
【請求項１】
飲食物を載せ、片手で持ち運べるようにしたトレーであって、
トレー本体部が、所定の剛性を有する合成樹脂からなる芯材と、
上記芯材の外側面部を被覆する、弾性を有する合成樹脂からなる被覆材とから形成されていることを特徴とするトレー。
【請求項２】
上記被覆材は耐熱性を有していることを特徴とする請求項１記載のトレー。
【請求項３】
上記被覆材はシリコンゴムであることを特徴とする請求項１又は請求項２に記載のトレー。
【考案の詳細な説明】
【技術分野】
【０００１】
本考案は、立食パーティ等において用いられ、片手で把持しうると共に、飲食物を載置しうるトレーに関する。
【背景技術】
【０００２】
立食パーティ等においては、複数種の料理、及び飲料がビュッフェ形式で提供されることが多い。
料理については取り皿、飲料についてはグラス類が夫々提供されるが、立食パーティの場合、会場の広さに比して人数が多く、椅子、テーブル等は人数分用意されているわけではないことから、全員が着席した状態で飲食することは困難であった。
従って、料理を食べる場合にはグラスを、飲料を飲む場合には料理の取り皿を、一時的にテーブル等に載置しておく必要がある。
しかしながら、立食パーティの場合、人数が多人数であると共に、歓談等で頻繁に場所を移動するため、都度、取り皿やグラスを持ち運ぶ必要があり、非常に煩わしく、持ち運び途中に他人にぶつかる等によって、取り皿やグラスを落としてしまう虞があった。
また、テーブル等にグラス等を載置した場合に、自分のグラスの判別ができなくなってしまうという不具合をも有していた。
【０００３】
上記不具合を解決するため、片手で把持可能である共に、料理の取り皿やグラスを載置しうる、トレーが提案されている（特許文献１）。
図２に示すように、特許文献１に係るトレー７０にあっては、合成樹脂の板状部材からなるトレー本体部７１に、料理を載せる取り皿を載置するための皿載置用凹部７２と、箸、フォーク等を置くための細長形状の凹部７３と、グラスの下半部を挿入して保持しうるグラス保持用孔部７４と、上記トレー本体部７１を把持するための把持部７５が設けられている。
また、上記の把持部７５は、指を貫通させることにより、前記トレー本体７１を片手で把持しうる把持用孔部７５ａと指を乗せるためのクッション部７５ｂと、補助皿部７６とを備えている。
上記トレー７０によれば、トレー本体部７１上の皿載置用凹部７２や補助皿部７６等に、料理を載せ、且つグラス保持用孔部７４にグラスを保持した状態で自由に移動することができる。
【０００４】
しかしながら、上記特許文献１に係るトレー７０は、全体が合成樹脂から形成されていることから、上記のクッション部７５ｂ以外の部分にも挿入した指が当たり、長時間に亘ってトレー７０を把持した場合には、手指が痛くなり易いという不具合を有していた。
【０００５】
また、トレー本体部を合成樹脂の代わりに紙材で形成した使い捨て方式のトレーも流通しているが、大量のゴミが発生することによって、環境に悪影響を与え、且つコスト高ともなるとい別途の不具合を有していた。
【特許文献１】特開平７−３２７８０５号
【考案の開示】
【考案が解決しようとする課題】
【０００６】
本考案の課題は、長時間把持しても手指を痛めることが無く、繰り返し使用可能で、環境にも優しく、且つ使用時のコストを削減しうるトレーを提供することにある。
【課題を解決するための手段】
【０００７】
上記課題を解決するために、請求項１の考案に係るトレーは、飲食物を載せ、片手で持ち運べるようにしたトレーであって、トレー本体部が、所定の剛性を有する合成樹脂からなる芯材と、上記芯材の外側面部を被覆する、弾性を有する合成樹脂からなる被覆材とから形成されていることを特徴とする。
【０００８】
従って、手で長時間把持した場合であっても、上記被覆材の有する弾性によって手指が保護される。
また、使用後においては、洗浄して繰り返し使用することができる。
【０００９】
また、請求項２の考案に係るトレーは、上記被覆材は耐熱性を有していることを特徴とする。
【００１０】
従って、熱い料理を直接載置した場合であっても、溶融する虞が無く、且つ使用後においては、熱湯を用いる食器洗浄機で洗浄することが可能である。
【００１１】
また、請求項３の考案に係るトレーは、上記被覆材はシリコンゴムであることを特徴とする。
【００１２】
シリコンゴムは、シリコン樹脂の一種で、定常状態においては液体であり、所定の硬化剤を添加することによって硬化して弾性を有するゴム状となる。
従って、複雑な形状のトレー本体部であっても、外側面部を容易にコーティングすることができる。
また、シリコンゴムは、医療用具においても用いられており、人体に対する毒性が極めて低く、安全性が高いと共に、耐熱性、耐薬品性も優れている。
【考案の効果】
【００１３】
請求項１の考案にあっては、トレー本体部が、所定の剛性を有する合成樹脂からなる芯材と、上記芯材の外側面部を被覆する、弾性を有する合成樹脂からなる被覆材とから形成されていることから、手で長時間把持した場合であっても、上記被覆材の有する弾性によって手指が保護され、使用後においては、洗浄して繰り返し使用することができる。
従って、長時間把持しても手指を痛めることが無く、繰り返し使用可能とすることによって環境への負荷が低く、且つ使用コストを削減しうるトレーを提供することができる。
【００１４】
また、請求項２の考案にあっては、上記被覆材は耐熱性を有していることから、熱い料理を直接載置した場合であっても、溶融する虞が無く、且つ使用後においては、熱湯を用いる食器洗浄機で洗浄することが可能である。
従って、安全性が高く、且つ洗浄作業が容易となるため、使用コストを更に削減することができる。
【００１５】
また、請求項３の考案にあっては、上記被覆材はシリコンゴムであることから、請求項１及び請求項２の効果に加え、人体に対する安全性がより高く、洗浄を繰り返しても劣化し難く、且つ環境への負荷が小さいトレーを提供することができる。
【図面の簡単な説明】
【００１６】
【図１】本考案の一実施の形態を示し、（ａ）実施の形態に係るトレーの全体斜視図を示し、（ｂ）は（ａ）のＡ−Ａ線における断面図を示している。
【図２】従来のトレーの形態を示す斜視図である。
【考案を実施するための最良の形態】
【００１７】
以下、添付図面を用いて、本考案の実施の形態について説明する。
図１（ａ）、（ｂ）に示すように、本実施例に係るトレー１０は、トレー本体部１１が、所定の剛性を有する合成樹脂からなる芯材１２と、上記芯材１２の外側面部を被覆する弾性を有するシリコンゴムからなる被覆材１３とから形成されている。
【実施例】
【００１８】
以下、上記形態の実施例の構成について、添付図面を用いて詳述する。
図１（ａ）に示すように、本実施例に係るトレー１０は全体略長方形に形成されたトレー本体部１１の表面に、料理若しくは料理を盛った皿を載置しうる皿載置用凹部１４と、グラスの下半部を挿入することによって、グラスを保持しうるグラス保持用孔部１５と、親指を挿入することによって、トレー本体部１１を把持しうる、把持用孔部１６がそれぞれ形成されている。
【００１９】
また、図１（ｂ）に示すように、芯材１２の素材としては、所定の剛性を有していれば、ポリエチレン、ポリプロピレン、ポリカーボネート等を適宜選択することができる。
また、本実施例にあっては、被覆材１３であるシリコンゴムは、液状のものを塗布し、その後硬化させることによって、上記芯材１２の外側面部全域がコーティングされている。
【００２０】
シリコンゴムによるコーティングによって、上記皿載置用凹部１４に直接熱い料理を載置しても、トレー１０が溶融する虞が無く、また、把持用孔部１６に親指を挿入して、トレー１０を把持した場合に、肌触りが柔らかく、長時間把持し続けても手指等を痛めることが無い。
【００２１】
なお、本考案に係るトレーは、合成樹脂からなる芯材と、上記芯材の外側面部を被覆する被覆材を備えた構成であれば、トレー本体部が図１に示した本実施例に係るトレーの全体形状と異なる形状、例えば、三角形、円形等の様々形状のデザインを選択した場合であっても、本実施例と同様の作用、及び効果を得ることができる。
また、皿載置用凹部、グラス保持用孔部、及び把持用孔部の配置、及び形状についても特に限定されず、その配置数についても特に限定されることは無い。
更に、把持用孔部の替わりに、親指を載置する指載置用凹部を設け、親指と他の指とでトレー本体部を載置する形態としても良い。
【産業上の利用可能性】
【００２２】
本考案は、軸筒部に装飾部を備えるトレーに適用可能である。
【符号の説明】
【００２３】
１０  トレー
１１  トレー本体部
１２  芯材
１３  被覆材
１４  皿載置用凹部
１５  グラス保持用孔部
１６  把持用孔部
７０  トレー
７１  トレー本体部
７２  皿載置用凹部
７３  凹部
７４  グラス保持用孔部
７５  把持部
７５ａ把持用孔部
７５ｂクッション部
７６  補助皿部
【図１】
0003168441.tif 000003
【図２】
0003168441.tif 000004